(57)【特許請求の範囲】
【請求項１】
陰極を有する陰極室と、陽極を有する陽極室とを有し、該両極室間に、陽極側に陽イオン交換膜、陰極側に陰イオン交換膜を配置して構成される１以上の濃縮室と、次の（ａ）〜（ｅ）の脱塩室、（ａ）陰極側に陽イオン交換膜、陽極側に陰イオン交換膜を配置し、内部にイオン交換体を充填した脱塩室、（ｂ）両側に陽イオン交換膜を配置し、内部にイオン交換体を充填した脱塩室、（ｃ）両側に陰イオン交換膜を配置し、内部にイオン交換体を充填した脱塩室、（ｄ）陰極側に陽イオン交換膜、陽極側にバイポーラ膜を配置し、内部にイオン交換体を充填した脱塩室、（ｅ）陰極側にバイポーラ膜、陽極側に陰イオン交換膜を配置し、内部にイオン交換体を充填した脱塩室、のいずれか１種類以上の複数の脱塩室とを有し、該脱塩室の両側に、濃縮室、陽極室、又は陰極室のいずれかを配置した前記いずれかの単一脱塩室と、間に濃縮室を介さずに前記いずれか１種類以上の脱塩室を複数隣接して配置した脱塩室群とを、それぞれ１以上を有する電気再生式脱塩装置であって、前記脱塩室群の出口と前記単一脱塩室の入口、又は、前記単一脱塩室の出口と前記脱塩室群の入口を接続してあることを特徴とする電気再生式脱塩装置。
【請求項２】
前記間に濃縮室を介さずに配置した脱塩室群は、前記脱塩室群を構成する第１の脱塩室に導入された被処理水が、第１の脱塩室から前記脱塩室群を構成する最終の脱塩室まで、順次直列で通水して脱塩処理されるように接続されていることを特徴とする請求項１記載の電気再生式脱塩装置。
【請求項３】
前記単一脱塩室と脱塩室群は、それぞれ複数配備され、それぞれ複数配備された単一脱塩室又は脱塩室群同士は、それぞれ被処理水を並列又は直列に供給するように接続され、また、複数配備された単一脱塩室と脱塩室群との間の被処理水の接続は、それらのうち少なくとも一つは直列に、その他は直列又は並列に供給するようになされることを特徴とする請求項１又は２記載の電気再生式脱塩装置。
【請求項４】
前記（ａ）の脱塩室に充填されるイオン交換体は、陰イオン交換体、陽イオン交換体、又は陰イオン交換体と陽イオン交換体のイオン交換体であり、前記（ｂ）の脱塩室に充填されるイオン交換体は、陽イオン交換体であり、前記（ｃ）の脱塩室に充填されるイオン交換体は、陰イオン交換体であり、前記（ｄ）の脱塩室に充填されるイン交換体は、陽イオン交換体であり、前記（ｅ）の脱塩室に充填されるイオン交換体は、陰イオン交換体であることを特徴とする請求項１、２又は３記載の電気再生式脱塩装置。
【請求項５】
前記イオン交換体は、放射線グラフト重合法によりイオン交換基が導入されたイオン交換繊維からなるイオン交換体であり、該イオン交換繊維からなるイオン交換体は、不織布又は織布、及び網目状のスペーサであことを特徴とする請求項１〜４のいずれか１項記載の電気再生式脱塩装置。
【発明の詳細な説明】
【０００１】
【発明の属する技術分野】
本発明は、電気再生式脱塩装置に係り、特に、弱陰イオン成分の除去能力が高い比較的小型の電気再生式脱塩装置に関する。
【０００２】
【従来の技術】
従来の純水製造方法としては、イオン交換樹脂を充填した容器に脱塩室入口水を通過させ、脱塩室入口水中のイオンをＨ+、ＯＨ-イオンに交換することにより純水を製造するイオン交換法が知られている。
しかし、このイオン交換法では、イオン交換樹脂の交換能力が飽和すると、イオン交換樹脂の種類に応じて、酸、アルカリを用いてイオン交換能力の再生をする必要がある。イオン交換樹脂の再生操作は、煩雑で、多量の酸、アルカリの貯蔵及び取り扱い、廃棄に細心の注意が必要であると共に設備が大きくなる、という問題を有している。
それに対し、近年、電気によってイオン交換体を再生し、連続的に純水を製造する電気再生式脱塩装置が開発された。これは図４に示すように、脱塩室入口水１０中のイオン分を装置の両端に印可した直流電源により、濃縮室出口水１３及び陰極液、陽極液に移動させることにより除去する装置であり、陰極１を有する陰極室２と陽極３を有する陽極室４、陰極室２と陽極室４の間に陰イオン交換膜５と陽イオン交換膜６を配置することにより形成された脱塩室７と濃縮室８を備え、少なくとも脱塩室７内にはイオン交換体９が充填されているものである。
【０００３】
ここで、イオン交換体９は、イオン交換樹脂、イオン交換繊維、グラフト重合法によりイオン交換基を導入されたイオン交換不織布、スペーサ等のイオン交換機能を持つ物であればどのようなイオン交換体でもよく、陰イオン交換体、陽イオン交換体を単一もしくは混合、もしくは複層状に充填してある。
陰極室２に陰極室入口水１４を、陽極室４に陽極室入口水１６を、濃縮室８に濃縮室入口水１２を、脱塩室７に脱塩室入口水１０を導入し、陰極１と陽極３間に直流電流を印可することにより、脱塩室入口水１０中に含まれているイオン分は、イオン交換体９の表面を電位の方向に移動し、陰イオンは陰イオン交換膜５、陽イオンは陽イオン交換膜６を透過して、濃縮室８中の濃縮水、陰極室２中の陰極液及び陽極室４中の陽極液に移動し、脱塩室入口水１０は脱イオン処理され純水１１が製造される。
【０００４】
脱塩室７内に充填されたイオン交換体９は、水解によって発生するＨ+、ＯＨ-により連続的に再生されるため、酸あるいはアルカリによる再生作業は必要なく、このようにして、純水１１を連続的に製造することが可能となる（特許第１７８２９４３、特許第２７５１０９０、特許第２６９９２５６各号明細書、特願平１０−１５３６９７等）。
最近では、脱塩室７を中間イオン交換膜で２つの脱塩室に分割し、片方の脱塩室の流出水をもう片方の脱塩室に導入することで、脱塩性能を改善した電気再生式脱塩装置も開発されている（特開２００１−２３９２７０、特開２００１−３２７９７１各公報）。
【０００５】
また、比較的小型の電気再生式脱塩装置においては、図４の通水方法の他に、図５に示すように、複数の脱塩室７に直列に脱塩室入口水１０を通水することで脱塩面積を稼ぎ、脱塩能力を増加させる、という方法も行われている。
このような、比較的小型の電気再生式脱塩装置においては、濃縮室入口水１２も各濃縮室８に直列に通水されたり、陰極室出口水１５を濃縮室入口水１２や陽極室入口水１６として用いることもある。
これらの電気再生式脱塩装置において、濃縮室入口水１２、陰極室入口水１４、陽極室入口水１６、脱塩室入口水１０の通水方向は、それぞれ平行流でも、対向流でもかまわなく、その通水方法には特に制限はない。
また、陰極室２、陽極室４とも、隣接する室が濃縮室８であっても、脱塩室７であってもかまわない。
【０００６】
前記の従来の電気再生式脱塩装置では、炭酸、シリカなどの弱陰イオン成分の除去能力が、他のイオン分の除去能力に比べて劣っていることが一般に知られている。
これらの弱陰イオン成分は、電気再生式脱塩装置に直流電流を過大に印可すればその除去率が多少改善することも知られているが、その場合でも弱陰イオン成分は十分には除去できなく、単位流量当りの消費電力は大きくなってしまう。
そのため、後段にイオン交換樹脂によるカートリッジポリッシャを設置してイオン交換させる、電気再生式脱塩装置を多段に構成し、第１の電気再生式脱塩装置で脱塩を行った後、第２の電気再生式脱塩装置でさらに脱塩処理を行う、などの処置が必要に応じて行われている。
しかし、このような処置を行うと、設置面積の増大、機器数の増加、価格の上昇を招くことになる。
【０００７】
【発明が解決しようとする課題】
本発明は、上記従来技術に鑑み、特に、比較的小型の電気再生式脱塩装置において、上述の弱陰イオン成分の除去性能を改善し、弱陰イオン成分を十分に除去できる電気再生式脱塩装置を提供することを課題とする。
【０００８】
【課題を解決するための手段】
上記課題を解決するために、本発明では、陰極を有する陰極室と、陽極を有する陽極室とを有し、該両極室間に、陽極側に陽イオン交換膜、陰極側に陰イオン交換膜を配置して構成される１以上の濃縮室と、次の（ａ）〜（ｅ）の脱塩室、（ａ）陰極側に陽イオン交換膜、陽極側に陰イオン交換膜を配置し、内部にイオン交換体を充填した脱塩室、（ｂ）両側に陽イオン交換膜を配置し、内部にイオン交換体を充填した脱塩室、（ｃ）両側に陰イオン交換膜を配置し、内部にイオン交換体を充填した脱塩室、（ｄ）陰極側に陽イオン交換膜、陽極側にバイポーラ膜を配置し、内部にイオン交換体を充填した脱塩室、（ｅ）陰極側にバイポーラ膜、陽極側に陰イオン交換膜を配置し、内部にイオン交換体を充填した脱塩室、のいずれか１種類以上の複数の脱塩室とを有し、該脱塩室の両側に、濃縮室、陽極室、又は陰極室のいずれかを配置した前記いずれかの単一脱塩室と、間に濃縮室を介さずに前記いずれか１種類以上の脱塩室を複数隣接して配置した脱塩室群とを、それぞれ１以上を有する電気再生式脱塩装置であって、前記脱塩室群の出口と前記単一脱塩室の入口、又は、前記単一脱塩室の出口と前記脱塩室群の入口を接続することとしたものである。
【０００９】
前記電気再生式脱塩装置において、間に濃縮室を介さずに配置した脱塩室群は、前記脱塩室群を構成する第１の脱塩室に導入された被処理水が、第１の脱塩室から前記脱塩室群を構成する最終の脱塩室まで、順次直列で通水して脱塩処理されるように接続するのがよく、前記単一脱塩室と脱塩室群は、それぞれ複数配備され、それぞれ複数配備された単一脱塩室又は脱塩室群同士は、それぞれ被処理水を並列又は直列に供給するように接続され、また、複数配備された単一脱塩室と脱塩室群との間の被処理水の接続は、それらのうち少なくとも一つは直列に、その他は直列又は並列に供給するようになされるのがよい。また、前記脱塩室において、（ａ）の脱塩室に充填されるイオン交換体は、陰イオン交換体、陽イオン交換体、又は陰イオン交換体と陽イオン交換体のイオン交換体であり、前記（ｂ）の脱塩室に充填されるイオン交換体は、陽イオン交換体であり、前記（ｃ）の脱塩室に充填されるイオン交換体は、陰イオン交換体であり、前記（ｄ）の脱塩室に充填されるイン交換体は、陽イオン交換体であり、前記（ｅ）の脱塩室に充填されるイオン交換体は、陰イオン交換体であるのがよく、前記イオン交換体は、放射線グラフト重合法によりイオン交換基が導入されたイオン交換繊維からなるイオン交換体であり、該イオン交換繊維からなるイオン交換体は、不織布又は織布、及び網目状のスペーサとすることができる。
【００１０】
【発明の実施の形態】
本発明によれば、両側に濃縮室、もしくは極室を配置した単一脱塩室と、間に濃縮室を介さずに複数の脱塩室を隣接して配置した脱塩室群を有する電気再生式脱塩装置において、単一脱塩室で処理された処理水を脱塩室群に通水するか又は、脱塩室群で脱塩処理された処理水を単一脱塩室に通水し、さらに脱塩処理を行うことによって、弱陰イオン成分の除去能力を高めることができる電気再生式脱塩装置を提供することが可能となる。
さらに、脱塩室群を濃縮室を間に介さずに隣接して配置するため、その分の濃縮室を省略することができ、運転電圧の低減もはかるとともに、コスト、外形の点でも従来の電気再生式脱塩装置よりも有利となる。
【００１１】
次に、本発明を図面を用いて詳細に説明する。
図１は、本発明による電気再生式脱塩装置の一例を示す概略構成図であり、先に説明した図４に示す構成と同一構成を同一符号で示して説明する。
陰極１を有する陰極室２と、陽極３を有する陽極室４を対向して配置し、この陰極室２と陽極室４の間に、陰極１側に陰イオン交換膜５を、陽極３側に陽イオン交換膜６を配置することで形成された濃縮室８と、陰極１側に陽イオン交換膜６を、陽極２側に陰イオン交換膜５を配置し、内部に陽イオン交換体と陰イオン交換体を充填して形成された単一脱塩室７、及び第２の脱塩室７２、両側に陰イオン交換膜５を配置し、内部に陰イオン交換体を充填してなる第１の脱塩室７１からなり、単一脱塩室７は陰極１側に陰極室２もしくは濃縮室８、陽極２側に陽極室３もしくは濃縮室８を隣接して配置することにより形成され、脱塩室群７０は、第１の脱塩室７１を陽極３側に、第２の脱塩室７２を陰極１側に、間に濃縮室を介さずに隣接して配置することにより形成され、これらの単一脱塩室７、脱塩室群７０、濃縮室８、陰極１を有する陰極室２、陽極３を有する陽極室４をもって本発明による電気再生式脱塩装置が構成される。
【００１２】
脱塩室群７０を形成する第１の脱塩室７１の出口は第２の脱塩室７２の入口に接続され、脱塩室群７０の出口（本図では第２の脱塩室７２の出口）は、単一脱塩室７の入口に接続されている。
この順番は特に制限はなく、図２に示すように、単一脱塩室７の出口を脱塩室群７０を形成する第１、もしくは第２の脱塩室に接続すること等も可能である。また、濃縮室入口水１２、陰極室入口水１４、陽極室入口水１６は、図１ではそれぞれ別々に導入、排出されているが、脱塩室と同様に陽極室出口水１７を濃縮室入口水１２や陰極室入口水１４として使用したり、複数の濃縮室を有する場合には、各濃縮室に直列になるように通水することも可能であり、その流し方については特に制限はない。
【００１３】
ここで、図１では、脱塩室群７０を構成する脱塩室として、両側に陰イオン交換膜を配置し内部に陰イオン交換体を充填した脱塩室と、陰極１側に陽イオン交換膜６、陽極３側に陰イオン交換膜５を配置し内部に陰イオン交換体と陽イオン交換体を充填した脱塩室を選択したが、脱塩室入口水１０の水質、水量、純水１１の目標水質等により、適宜その組み合わせば変更することができる。
単一脱塩室７と第２の脱塩室７２に陰イオン交換体と陽イオン交換体を、第１の脱塩室７１に陰イオン交換体を充填しているが、これは陰イオン交換膜５と陽イオン交換膜６を両側に配置してなる単一脱塩室７、第２の脱塩室７２の場合には、電極間に直流電流を印可すると、脱塩室入口水１０中の陰イオンは、陰イオン交換膜５を通過して濃縮室８へ、陽イオンは、陽イオン交換膜６を通過して濃縮室８へ移動するため、陰イオン交換体と陽イオン交換体の両方を脱塩室に充填すると脱イオン効果があるのに対し、両側に陰イオン交換膜を配置した第１の脱塩室７１の場合は、脱塩室入口水１０中の陽イオンは、陰イオン交換膜５を通過できないため、陽イオン交換体を内部に充填していても連続脱塩効果が発揮できないためである。
【００１４】
同様に、両側に陽イオン交換膜６を配置した脱塩室の場合は、陰イオンは、陽イオン交換膜６を通過できないため、内部には陽イオン交換体のみを充填するのがよく、陽極３側にバイポーラ膜を、陰極１側に陽イオン交換膜６を配置した脱塩室の場合は、バイポーラ膜は陰イオン、陽イオンとも通過できないため、陽イオン交換体を、陰極１側にバイポーラ膜を、陽極３側に陰イオン交換膜５を配置した脱塩室の場合は、陰イオン交換体を充填するのがよい。
また、濃縮室８、及び両極室２、４にも、イオン交換体９を充填することが望ましく、このイオン交換体９は、その形状、種類に特に制限はないが、濃縮室８には陽イオン交換体と陰イオン交換体の両者を使用し、陽イオン交換膜側に陽イオン交換体を、陰イオン交換膜側に陰イオン交換体を配置するのが析出の防止に効果的である。
【００１５】
陰極室２には、脱塩室が隣接する場合には陽イオン交換体を、濃縮室８が隣接する場合には陰イオン交換体を充填するのがよく、陽極室４には、脱塩室が隣接する場合には陰イオン交換体を、濃縮室８が隣接する場合には陽イオン交換体を充填するのがよい。
濃縮室８、両極室２、４には、一部にイオン交換体以外の、例えばスペーサを充填することもできる。
陰極室２に陰極室入口水１４を、陽極室４に陽極室入口水１６を、濃縮室８に濃縮室入口水１２を、第１の脱塩室７１に脱塩室入口水１０を導入し、陰極１と陽極３間に直流電流を印可することにより、脱塩室入口水１０中に含まれているイオン分は、イオン交換体９の表面を電位の方向に移動し、陰イオンは陰イオン交換膜５、陽イオンは陽イオン交換膜６を透過して、濃縮室８中の濃縮水、陰極室２中の陰極水、陽極室４中の陽極水に移動し系外に排出され、脱イオン処理された純水１１が製造される。
【００１６】
脱塩室群７０について詳しく説明すると、第１の脱塩室７１に導入された脱塩室入口水１０中の陰イオン分は、両極に印可された直流電流により陽極３側に移動し、陰イオン交換膜５を透過して濃縮室８中に移動する。陽イオン分は、陰極側に配置されている陰イオン交換膜５を透過することができないため、第１の脱塩室７１に留まる。これにより、第１の脱塩室７１内は陰イオン分のみが減少するためｐＨが高くなり、弱陰イオン成分もイオン化することで除去しやすくなる。陰極１側に配置されているイオン交換膜５からは、第２の脱塩室７２で除去される残存陰イオン分とＯＨ-が第１の脱塩室７１に移動してくる。このＯＨ-の作用で、第１の脱塩室７１内に充填されている陰イオン交換体は再生され、再び脱塩室入口水１０中の陰イオン分を除去できるようになる。
第１の脱塩室７１で上述の脱塩処理をされた処理水は、続いて第２の脱塩室７２に導入される。第２の脱塩室７２には、陰イオン交換体と陽イオン交換体が充填されており、陰極１側に陽イオン交換膜６、陽極３側に陰イオン交換膜７が配置されているため、第２の脱塩室７２で脱塩できなかった残存陰イオン分と陽イオン分の両方が脱塩され、濃縮室８に移動する。
【００１７】
脱塩室群７０で脱塩処理された処理水は、単一脱塩室７に導入され、最終的な脱塩処理が行われる。単一脱塩室７に導入された時点で、処理水中の陰イオン成分はほとんど除去されており、極微量のイオン成分が除去の対象となる。
単一脱塩室７には、陽イオン交換体と陰イオン交換体が充填されており、残存する陽イオン分は、陽イオン交換体とイオン交換された後、陰極１側に存在する陽イオン交換膜６を透過して濃縮室８に移動し、残存する陰イオン成分は、陰イオン交換体とイオン交換した後、陽極３側にある陰イオン交換膜５を透過して、濃縮室へ移動する。
単一脱塩室７、及び第２の脱塩室７２では、イオン分の移動の他、水解によって水がＨ+とＯＨ-に分解されており、これが脱塩室中の陽イオン交換体、陰イオン交換体を再生するため、酸、アルカリによるイオン交換体の再生作業は必要なく、このようにして、脱塩室入口水１０中のイオン分は十分に除去され、連続的に純水１１を得ることができる。
【００１８】
また図１では、脱塩室群７０は、陰極側を陰イオン交換膜５と陽イオン交換膜６を両側に配置した脱塩室で、陽極側を両側に陰イオン交換膜５を配置した脱塩室の２種類２室の脱塩室で、形成しているが、この配置方法、脱塩室の種類については特に制限はなく、脱塩室群７０を構成する脱塩室数も２室でなく３室以上であってもなんら問題はない。これは、被処理水中のイオン成分、処理水の目的水質等により適宜選択することが可能である。
脱塩室群７０を構成している脱塩室にバイポーラ膜を使用する場合には、バイポーラ膜の特性から、バイポーラ膜にて低電圧で効率的に水解によるＨ+、ＯＨ-が発生し、Ｈ+は陽イオン交換体を、ＯＨ-は陰イオン交換体を再生させ、脱塩
室入口水１０中のイオン分を除去することが可能となる。
水解を効率的に発生させられるため、バイポーラ膜を用いた場合は、さらに運転電圧が低減することが期待される。
電気再生式脱塩装置においては、従来脱塩室の数±１の濃縮室が必要であったのが、上述のように、間に濃縮室を介さない複数枚の脱塩室にて構成される脱塩室群を用いることで、従来の形の電気再生式脱塩装置よりも濃縮室の室数を減らすことが可能になり、その分運転電圧を軽減することが可能となる。
【００１９】
【実施例】
以下、本発明を実施例により具体的に説明する。
実施例１
本発明の効果を比較例との対比の元で説明する。試験設備は図３の試験装置のフロー図に示すように、脱塩室入口水１０、濃縮室入口水１、陰極室入口水１４、陽極室入口水１６として、藤沢市水を活性炭濾過器保安フィルタ、逆浸透膜装置で前処理したものを使用し、その水質は、比抵抗０．２５ＭΩ・ｃｍであった。
本実施例では、図３に示す試験装置中の電気再生式脱塩装置に、図１に示す構成の電気再生式脱塩装置を用い、脱塩室入口水１０の流量を７５Ｌ／ｈ、濃縮室入口水１２の流量を１０Ｌ／ｈ、陰極室入口水１４の流量及び陽極室入口水１６の流量をそれぞれ１０Ｌ／ｈとして、０．４Ａの直流電流を陰極１と陽極３に印可して運転を行った。
【００２０】
電気再生式脱塩装置は、電極面積６４０ｃｍ2、脱塩室は３室、濃縮室は１室とし、両端に陰極室と陽極室を設け、脱塩室７及び脱塩室群７０を形成している第２の脱塩室７２には、陽イオン交換不織布、陰イオン交換不織布、陽イオン交換スペーサ、陰イオン交換スペーサを、両側を陰イオン交換膜５で形成された第１の脱塩室７１には、陰イオン交換不織布及び陰イオン交換スペーサを充填した。
また、濃縮室内部には陰イオン交換体と陽イオン交換体を、陰極室には陽イオン交換体と導電性をもたないスペーサを、陽極室には陰イオン交換体と導電性を持たないスペーサを充填した。
上記条件で運転した結果、比抵抗１７．６ＭΩ・ｃｍの純水１１が連続して製造され、純水の水質も下記の比較例に比べ大幅に向上したほか、運転電圧は５８Ｖに低減され、さらに炭酸除去率、シリカ除去率とも９９％以上と、弱陰イオン分の除去率も大幅に向上された。
【００２１】
比較例１
比較例として、図５に示す構成の電気再生式脱塩装置を用い、脱塩室入口水１０の流量を７５Ｌ／ｈ、濃縮室入口水１２の流量を２０Ｌ／ｈ、陰極室入口水１４の流量及び陽極室入口水１６の流量をそれぞれ１０Ｌ／ｈとして、０．４Ａの直流電流を陰極１と陽極３に印可して運転を行った。
電気再生式脱塩装置は、電極面積６４０ｃｍ2、脱塩室は３室、濃縮室は２室とし、両端に陰極室と陽極室を設け、脱塩室、濃縮室内部には陰イオン交換体と陽イオン交換体を陰極室には陽イオン交換体を陽極室には陰イオン交換体を充填してある。
上記条件で運転した結果、比抵抗１４．４ＭΩ・ｃｍ程度の純水１１が連続して製造された。
この運転において、運転電圧は６６Ｖ、炭酸除去率９４％、シリカ除去率８８％であった。
【００２２】
【発明の効果】
本発明の電気再生式脱塩装置によれば、上述したように、被処理水中の弱陰イオン成分を除去する能力を高めると共に、運転電圧を低減することが可能となる。
【図面の簡単な説明】
【図１】本発明の電気再生式脱塩装置の一例を示す概略構成図。
【図２】本発明の電気再生式脱塩装置の他の例を示す概略構成図。
【図３】実施例に用いた試験装置のフロー図。
【図４】従来の電気再生式脱塩装置の一例を示す概略構成図。
【図５】従来の電気再生式脱塩装置の他の例を示す概略構成図。
【符号の説明】
１：陰極、２：陰極室、３：陽極、４：陽極室、５：陰イオン交換膜、６：陽イオン交換膜、７：単一脱塩室、８：濃縮室、９：イオン交換体、１０：脱塩室入口水、１１：純水、１２：濃縮室入口水、１３：濃縮室出口水、１４：陰極室入口水、１５：陰極室出口水、１６：陽極室入口水、１７：陽極室出口水、７０：脱塩室群、７１：第１の脱塩室、７２：第２の脱塩室
【図１】
0003729349.tif 000002
【図２】
0003729349.tif 000003
【図３】
0003729349.tif 000004
【図４】
0003729349.tif 000005
【図５】
0003729349.tif 000006